(57)【要約】【課題】  双方の通話者に通信状態の劣化を通知することができる携帯電話システムを得る。【解決手段】  携帯電話３が複数の基地局１ａ、１ｂと無線によって接続され、相手携帯電話４と通話する場合に、各基地局１ａ、１ｂは、携帯電話３の通信状態を監視する監視手段１１ａ、１１ｂを有し、これらの監視手段１１ａ、１１ｂによる携帯電話３の通信状態の監視結果を、判定手段５により、登録手段９に予めユーザによって登録された閾値と比較して通信状態の劣化を判定し、劣化が判定されれば、通知手段７にアラーム生成要求を出力し、通知手段７は携帯電話３及び携帯電話４にアラームを出力して劣化を通知するようにした。【選択図】図１
2005236397.tif 000002
【特許請求の範囲】
【請求項１】
携帯電話が複数の基地局と無線によって接続され、相手携帯電話と通話する携帯電話システムにおいて、上記各基地局に配置され、上記携帯電話の通信状態を監視する監視手段、上記複数の基地局の上記監視手段による上記携帯電話の通信状態の監視結果を閾値と比較して上記通信状態の劣化を判定する判定手段、及びこの判定手段により劣化が判定されたときアラームを上記携帯電話及び相手携帯電話に送出する通知手段を備えたことを特徴とする携帯電話システム。
【請求項２】
上記携帯電話毎の閾値が登録された登録手段を備え、上記判定手段は、上記登録手段に登録された上記携帯電話に対応する閾値を用いて上記判定を行うことを特徴とする請求項１記載の携帯電話システム。
【発明の詳細な説明】
【技術分野】
【０００１】
この発明は、無線品質の劣化に柔軟に対応できるようにした携帯電話システムに関するものである。
【背景技術】
【０００２】
従来の携帯電話においては、受信の電界強度を測定し、閾値を下回った場合に、アラーム音を音声に重畳して、自分の持つ携帯電話の無線状態の劣化を通話者に知らせるなどしていた。
このように、従来では、携帯電話同士で通話する場合、相手端末の無線品質の劣化を知ることができなかった。自分の端末の無線品質が劣化して、相手が聞き取れないような通話状態にあるにも関わらず話しつづけることが可能なため、相手から聞き返されたりすることがある。また反対に、こちらの無線状態が良くても相手の無線状態が悪かった場合、受話音質が悪くなるなど、無線通信の特質により、お互いの知らないうちに円滑な通話ができなくなることで、不要なストレスを発生させ得るという難点があった。
【０００３】
これに対処するものとして、特許文献１には、基地局で通信の弱電界状態を検出し、自端末および相手端末にアラームを発生するものが記載されている。
また、特許文献２には、携帯電話機で基地局からの受信信号の誤り率を測定し、所定値より低下した場合に通話中の携帯電話機のユーザと通信相手の双方にアラーム音／メッセージを通知するものが記載され、別の実施例では、基地局に携帯電話機内で検出された回線品質情報及び電池電圧情報に基づきこれらを解析して基地局のアラーム発生部から通話中の携帯電話機のユーザと通信相手の双方にアラーム音／メッセージを通知するものが示されている。
【０００４】
【特許文献１】特開平３−１８２１２９号公報（第３〜４頁、図２）
【特許文献２】特開平０９−０８４１１６号公報（第５〜７頁、図１）
【発明の開示】
【発明が解決しようとする課題】
【０００５】
しかしながら、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式においては、複数の基地局を用いて通信するソフトハンドオーバ動作があるため、特許文献１において実現される各基地局単独でのアラーム生成では、他の無線状態のよい基地局による安定した通信ができるにもかかわらず、不要なアラームをあげてしまうことが考えられる。
また、特許文献２においては、携帯電話にて、下り信号の誤り率をもとにアラーム音生成を行い、通信相手に伝えるために上り音声に重畳しているが、上り無線路が劣化した場合、その音声そのものが相手に伝わらないことが考えられる。また、基地局でアラーム生成を行う場合には、携帯電話からの上り回線品質情報及び電池電圧情報が基地局に伝わらない場合にアラームの生成ができないことになる。
【０００６】
この発明は、上述のような課題を解決するためになされたものであり、双方の通話者に通信状態の劣化を通知することができる携帯電話システムを得ることを目的にしている。
【課題を解決するための手段】
【０００７】
この発明に係わる携帯電話システムにおいては、携帯電話が複数の基地局と無線によって接続され、相手携帯電話と通話する携帯電話システムにおいて、各基地局に配置され、携帯電話の通信状態を監視する監視手段、複数の基地局の監視手段による携帯電話の通信状態の監視結果を閾値と比較して通信状態の劣化を判定する判定手段、及びこの判定手段により劣化が判定されたときアラームを携帯電話及び相手携帯電話に送出する通知手段を備えたものである。
【発明の効果】
【０００８】
この発明は、以上説明したように、携帯電話が複数の基地局と無線によって接続され、相手携帯電話と通話する携帯電話システムにおいて、各基地局に配置され、携帯電話の通信状態を監視する監視手段、複数の基地局の監視手段による携帯電話の通信状態の監視結果を閾値と比較して通信状態の劣化を判定する判定手段、及びこの判定手段により劣化が判定されたときアラームを携帯電話及び相手携帯電話に送出する通知手段を備えたので、各基地局で通信状態を監視し、それぞれの通信状態の監視結果を元にアラームを送出させるようにし、双方の携帯電話に通信状態の劣化を通知することができる。
【発明を実施するための最良の形態】
【０００９】
実施の形態１．
次に、本発明について図を参照して説明する。
図１は、この発明の実施の形態１による携帯電話システムを示す概略構成図である。
図１において、携帯電話３と無線で接続している基地局１ａ、１ｂは、電界強度などの指標を用いて評価される携帯電話３の通信状態を監視する監視手段１１ａ、１１ｂをそれぞれ持つ。携帯電話３の通信相手の携帯電話４と無線で接続している基地局２ａ、２ｂは、基地局１ａ、１ｂと同様に電界強度などの指標を用いて評価される携帯電話４の通信状態を監視する監視手段１２ａ、１２ｂをそれぞれ持っている。
【００１０】
携帯電話３側の判定手段５は、基地局１ａ、１ｂにより測定された通信状態を閾値と比較して通信状態の劣化を判定してアラーム生成要求を行う。携帯電話４側の判定手段６も同様に、基地局２ａ、２ｂにより測定された通信状態を閾値と比較して通信状態の劣化を判定してアラーム生成要求を行う。携帯電話３側の通知手段７は、判定手段５からの要求に従い、携帯電話３及び携帯電話４に対して適切なメッセージやアラーム等の通知を行う。携帯電話４側の通知手段８は、判定手段６からの要求に従い、携帯電話４及び携帯電話３に対して適切なメッセージやアラーム等の通知を行う。
【００１１】
登録手段９は、判定手段５、６での判定に用いられる閾値がユーザによって個々の携帯電話毎に登録されている。この閾値すなわち携帯電話３及び携帯電話４に対してあらかじめ登録していた通信状態劣化アラームの報告レベルの例としては、早期に報告、劣化が激しいときにのみ報告、報告しない、などのレベルがある。
図２は、この発明の実施の形態１による携帯電話システムの動作を示すフローチャートである。
【００１２】
次に、動作について図２を用いて説明する。
各基地局１ａ、１ｂの監視手段１１ａ、１１ｂは、携帯電話３の通信状態を、電界強度等の指標を用いて測定することにより監視し、それぞれの監視結果を判定手段５に伝える（ステップＳ１）。
判定手段５は、登録手段９から渡された個々の携帯電話毎に登録された閾値に基づき、個々の携帯電話に対して通信状態劣化アラームを発生させるに値するかを判定する。この判定では、複数の基地局１ａ、１ｂを利用している通信の場合は、状態のよい経路を選択し、それでも閾値を下回るような劣化ありと判定された場合に、アラーム生成要求を行う。判定手段５による判定の結果、通信状態劣化報告の必要ありと判定した場合、通知手段７に対してアラーム生成要求を出力する（ステップＳ２）。
ステップＳ３で、通知手段７は、判定手段５からのアラーム生成要求があれば、双方の携帯電話３、４に対してアラーム出力を行う（ステップＳ４）。この通知手段７によるアラーム出力は、音声などのユーザデータと並走して送られる制御データ（メッセージ）で、双方の携帯電話３、４に伝えられる。携帯電話３、４は、通知手段７のアラーム出力を受けて、音や表示によるアラームを発生してユーザに通知する（ステップＳ６）。ステップＳ３で、通信状態劣化報告の必要なしの場合は、何もせずに終了する（ステップＳ５）。
【００１３】
実施の形態１によれば、ＷＣＤＭＡ方式のように複数の基地局を用いて通信する場合においても、指標を用いて個々の携帯電話から基地局への通信状態を監視し、それぞれの通信状態の監視結果を元に携帯電話に適切なメッセージやアラーム等による通知を行い、必要に応じて事前通知以後に呼制御を行うことで、無線品質の劣化に対して、柔軟な対応が行え、携帯電話システムのサービス内容が向上できる。
また、各携帯電話に提供するサービスに合せた閾値を通信状態劣化判定に用いることで、対応するメッセージやアラーム等の種類や、呼の終了手順を複数選べることを可能にして、携帯電話システムのサービスの向上に結びつけることができる。
【図面の簡単な説明】
【００１４】
【図１】この発明の実施の形態１による携帯電話システムを示す概略構成図である。
【図２】この発明の実施の形態１による携帯電話システムの動作を示すフローチャートである。
【符号の説明】
【００１５】
１，２  基地局
３，４  携帯電話
５，６  判定手段
７，８  通知手段
９  登録手段
１１，１２  監視手段
【図１】
2005236397.tif 000003
【図２】
2005236397.tif 000004